(57)【要約】【課題】  簡単な構造、低コストで、防犯機能の使用、不使用時の切り替え操作を簡単に行える実用的な防犯ブザーロック装置を提供する。【解決手段】  引き違い式の戸等に設置され、内外戸体の引き違い動作を妨げないように外戸体１４の内側に設けられた受部１６と、内戸体１２の引き違い壁１８に固定され走行路空間Ｓ側から出入して制止部材２６の突出時に受部１６に係合し内外戸体１２、１４の引き違い移動を制止する制止機構２０と、内外戸体１２、１４の要素（４８、５０）の接触または非接触により鳴動出力させる警鳴装置２２と、を備えた防犯ブザーロック装置１０から構成される。戸などの開き動作時に警報を発生するとともに開き動作を制止して防犯を行える。さらに、装置全体を戸等に取付けたまま、制止部材の走行路空間側からの出入りを行って、防犯の使用、不使用を切替えることができる。【選択図】図１
2005336850.tif 000002
【特許請求の範囲】
【請求項１】
内外の走行路に沿って横方向に移動する引き違い式の戸等に設置される防犯ブザーロック装置であって、
内外戸体の引き違い動作を妨げないように外戸体の内側に設けられた受部と、
内戸体の引き違い壁に固定され内外戸体の引き違い動作を妨げないようにしつつ走行路空間側から出入して制止部材の突出時に受部に係合し内外戸体の引き違い移動を制止する制止機構と、
内外戸体の引き違い動作に対応してそれぞれの戸体側の要素の接触または非接触により鳴動出力させる警鳴装置と、を備えたことを特徴とする防犯ブザーロック装置。
【請求項２】
制止部材が走行路空間内に収容されて内外戸体の引き違い動作が自由に行える状態では警鳴装置の警報音が警鳴しないように連係していることを特徴とする請求項１記載の防犯ブザーロック装置。
【請求項３】
外戸体側の受部と警鳴要素、並びに内戸体側の制止機構と警鳴要素とがそれぞれ近接して設けられていることを特徴とする請求項１又は２記載の防犯ブザーロック装置。
【請求項４】
警鳴装置は、内戸体の引き違い壁に取り付けられた鳴動体を含む鳴動機構部と、外戸体側に設けられ非接触で鳴動機構部の鳴動体を鳴動出力させる起動部と、を含むことを特徴とする請求項１ないし３のいずれかに記載の防犯ブザーロック装置。
【請求項５】
制止部材の制止、解除の動きに対応して鳴動機構部の鳴動出力回路の開閉スイッチングを行わせるように連係したことを特徴とする請求項４記載の防犯ブザーロック装置。
【請求項６】
制止部材が受部に当着して内外戸体の引き違い移動を制止する状態と、走行路空間内に退避して制止解除する状態と、に切り替える遠隔操作手段が設けられたことを特徴とする請求項１ないし５のいずれかに記載の防犯ブザーロック装置。
【請求項７】
制止機構は、制止部材を直線的にスライド移動させて制止、解除の動きを行わせることを特徴とする請求項１ないし６のいずれかに記載の防犯ブザーロック装置。
【請求項８】
外戸体側の警鳴要素は、磁石からなり、
内戸体側の警鳴要素は、磁石の磁力により開閉スイッチングするリードスイッチを含む請求項１ないし７のいずれかに記載の防犯ブザーロック装置。
【発明の詳細な説明】
【技術分野】
【０００１】
本発明は、建物の戸や窓部分に設けられ侵入者等の侵入時に警鳴とともにそれらの戸や窓の開き動作を制止させる防犯ブザーロック装置に関する。
【背景技術】
【０００２】
泥棒等の建物室内への侵入者は玄関以外の窓や引き違い戸等より侵入する場合が多く、その際には例えば窓を破壊して室内施錠を解錠される。このような不法侵入を防止するために、例えば自動車のキーレスエントリシステムのように、錠前用鍵に発振回路を内蔵して無線により家屋側に取り付けた制御回路を操作してブザーの作動可能状態と作動不能状態とに切り替えるようにした家屋用防犯装置が特開２００２−１５０４３８号において提案されている。この文献の装置では、鍵に一体的に配備された操作スイッチを介して予めブザーを作動不能状態にしておき、その状態で解錠すればブザーによる大きな警報音を生じさせることなく、日常的な簡易な使用が望める。しかしながら、上述した従来の防犯用の装置では、切り替え制御用無線信号出力用の送信機能を備えた専用の鍵並びに、扉に設けた取り付けプレート等にセンサや受信装置等を設置する必要があり、システム全体のコストが高く、一般家庭の玄関部分以外の引き違い戸、窓、その他の部分の開口開閉用の扉体等のすべてに設置することは困難であるという課題があった。
【０００３】
この課題に対し本出願人は、先に特願２００３−３４３９２０号において、簡単かつ低コスト構造で、一般家庭の引き違い戸、窓、その他の部分の開口開閉用の扉体等のすべてに設置することでき、さらに警報音発生の設定と窓自体の錠とは別の窓等のロック手段の設定を同時に行える防犯ブザーロック装置を提案した。この防犯ブザーロック装置では、引き違い戸の外戸体の内側に取り付けられた取付台と、取付台に脱着自在に取付けされる警報装置と、有し、さらに警鳴装置は、内戸体の引き違い壁に押し付けられて起動して警報音を発生する起動体を備えるとともに、警鳴装置は、取付台に取付けた状態で、内戸体１４の引き違い壁に当接してその引き違い動作を制止させる大きさの外殻を備えている。そして内または外戸体の引き違い動作がされると、内戸体が警報装置の起動体を押動させて警報音を発生させ、戸体をさらに開く操作を行うと警鳴装置自体により戸体の移動を阻止して戸体の制止ロックを行うものであった。
【特許文献１】特開２００２−１５０４３８号公報
【特許文献２】特願２００３−３４３９２０号  （特許請求の範囲、明細書、図１、図２）
【発明の開示】
【発明が解決しようとする課題】
【０００４】
上述の特願２００３−３４３９２０号の防犯ブザーロック装置では、警報を発生する警鳴装置の外殻を利用して戸体の移動を妨げるものであるから、使用、不使用の切替え毎に警鳴装置の脱着を行わなければならない。すなわち、例えば、掃除、洗濯その他居住者の出入りや風通し等のために戸、窓等を大きく開く必要がある際には、警鳴装置をいちいち取り外す必要があるとともに、外出等の際には、再び警鳴装置を取付ける必要があるため、頻繁に開閉を行う戸等での防犯装置の使用、不使用の切替え操作は煩雑なものであった。
【０００５】
本発明は、上記従来の課題に鑑みてなされたものであり、その目的は、簡単で低コストな装置構造を維持しつつ、該装置を戸、窓等に取付た状態で簡単に使用、不使用の設定を切替え可能にして使い勝手を向上させ得る防犯用ブザーロック装置を提供することである。
【課題を解決するための手段】
【０００６】
上記課題を解決するために本発明は、内外の走行路Ｌ１、Ｌ２に沿って横方向に移動する引き違い式の戸等に設置される防犯ブザーロック装置であって、内外戸体の引き違い動作を妨げないように外戸体の内側に設けられた受部と、内戸体１２の引き違い壁１８に固定され内外戸体１２、１４の引き違い動作を妨げないようにしつつ走行路空間Ｓ側から出入して制止部材２６の突出時に受部１６に係合し内外戸体１２、１４の引き違い移動を制止する制止機構２０と、内外戸体１２、１４の引き違い動作に対応してそれぞれの戸体側の要素（４８、５０）の接触または非接触により鳴動出力させる警鳴装置２２と、を備えたことを特徴とする防犯ブザーロック装置１０から構成される。受部は、外戸体の内側に後付で設けられても良く、外戸体に埋め込み式、あるいは、一体的に凸部又は凹部を形成したり、その他任意に構成してもよい。制止機構は、例えば、スライド機構、水平軸回りまたは垂直軸回りの回転機構、その他任意の構成でもよい。警鳴装置は、鳴動出力する鳴動体が外戸体側、内戸体側のいずれに設けられていてもよい。警鳴装置を鳴動出力させる内外戸体の警鳴要素の構成は、例えば、機械的なスイッチと剛体部材とによる接触式、あるいは，近接スイッチ、光センサ、磁気センサ、移動量検出その他の信号検出等の非接触式等、その他任意の構成で、引き違い動作に対応して鳴動出力させるように構成してもよい。装置の各構成、すなわち、制止機構、受部、警鳴装置は全体的に近接した位置に配置してもよく、または各々を離隔して、例えば、制止機構と受部を戸等の上側に配置し、警鳴装置を戸等の下側に配置させ、あるいはその逆としてもよい。
【０００７】
また、制止部材２６が走行路空間Ｓ内に収容されて内外戸体１２、１４の引き違い動作が自由に行える状態では警鳴装置２２の警報音が警鳴しないように連係していることとしてもよい。例えば、制止部材２６が走行路空間Ｓ内に収容された際に、内外戸体１２，１４の警鳴要素の接触または非接触の動き自体を妨げるような構成でもよく、警鳴要素の作動とは別構成で警鳴装置のオン、オフを行わせる構成でもよい。
【０００８】
また、外戸体側の受部１６と警鳴要素（４８）、警鳴装置２２並びに内戸体側の制止機構２０と警鳴要素（５０）とがそれぞれ近接して設けられていることとしてもよい。例えば、受部と警鳴要素、又は制止機構と警鳴要素が、一体的に構成されていてもよい。また、受部が警鳴要素を兼用し、又は制止機構が警鳴要素を兼用した構成としてもよい。
【０００９】
また、警鳴装置２２は、内戸体１２の引き違い壁１８に取り付けられた鳴動体５６を含む鳴動機構部（２８）と、外戸体１４側に設けられ非接触で鳴動機構部（２８）の鳴動体５６を鳴動出力させる起動部４８と、を含むこととしてもよい。
【００１０】
また、制止部材２６の制止、解除の動きに対応して鳴動機構部（２８）の鳴動出力回路の開閉スイッチングを行わせるように連係したこととしてもよい。
【００１１】
また、制止部材２６が受部１６に当着して内外戸体１２、１４の引き違い移動を制止する状態と、走行路空間Ｓ内に退避して制止解除する状態と、に切り替える遠隔操作手段４２が設けられたこととしてもよい。遠隔操作手段は、例えば、索条や棒部材等その他長く延長されて操作できるものでもよい。
【００１２】
また、制止機構２０は、制止部材２６を直線的にスライド移動させて制止、解除の動きを行わせることとしてもよい。
【００１３】
また、外戸体１４側の警鳴要素は、磁石４８ａからなり、内戸体１２側の警鳴要素は、磁石の磁力によりスイッチ動作するリードスイッチ５０ａを含むこととしてもよい。
【発明の効果】
【００１４】
本発明の防犯ブザーロック装置によれば、内外の走行路に沿って横方向に移動する引き違い式の戸等に設置される防犯ブザーロック装置であって、内外戸体の引き違い動作を妨げないように外戸体の内側に設けられた受部と、内戸体の引き違い壁に固定され内外戸体の引き違い動作を妨げないようにしつつ走行路空間側から出入して制止部材の突出時に受部に係合し内外戸体の引き違い移動を制止する制止機構と、内外戸体の引き違い動作に対応してそれぞれの戸体側の要素の接触または非接触により鳴動出力させる警鳴装置と、を備えた構成であるから、簡単な構成で低コストであり、侵入者が戸を引き違い開き方向に開けて侵入しようとする際に、警鳴音の発生と戸の引き違い開き移動を確実に制止し得るとともに、装置を戸や窓に取付けたままの状態で、警報音発生及び戸の開き移動の制止を行って防犯できる設定とそれらの解除の切替えを簡便に行える。特に、掃除、洗濯、その他の出入りや風通し等、日常生活において頻繁に開閉を行う戸や窓に取付けた際にも煩雑にならずに防犯の使用、不使用の切替えを行えるので利便性が良く、実用性が高い。
【００１５】
また、制止部材が走行路空間内に収容されて内外戸体の引き違い動作が自由に行える状態では警鳴装置の警報音が警鳴しないように連係している構成とすることにより、戸体の引き違い移動を制止できる状態では警報音を確実に発生させるとともに、自由に戸体の開閉を行える状態では、誤って警報が発生するの確実に防止でき、実用に優れる。
【００１６】
また、外戸体側の受部と警鳴要素、並びに内戸体側の制止機構と警鳴要素とがそれぞれ近接して設けられている構成とすることにより、取付け作業の際に構成部材の位置調整や設定等が行いやすく、また、制止機構と、警鳴装置の要素とを連係させる構成を簡単に構成でき、装置全体の取付け構造を簡単にし得る。
【００１７】
また、警鳴装置は、内戸体の引き違い壁に取り付けられた鳴動体を含む鳴動機構部と、外戸体側に設けられ非接触で鳴動機構部の鳴動体を鳴動出力させる起動部と、を含む構成とすることにより、内外戸体の引き違い動作に対応して鳴動出力する警鳴要素構成の警鳴装置を具体的に実現できる。また、既設の戸、窓等に後付け的に簡単に取付けることができる。
【００１８】
また、制止部材の制止、解除の動きに対応して鳴動機構部の鳴動出力回路の開閉スイッチングを行わせるように連係した構成とすることにより、戸の引き違い移動を制止できる状態では警報音を確実に発生させるとともに、自由に戸体の開閉を行える状態では、誤って警報が発生するのを防止でき、実用に優れる。
【００１９】
また、制止部材が受部に当着して内外戸体の引き違い移動を制止する状態と、走行路空間内に退避して制止解除する状態と、に切り替える遠隔操作手段が設けられた構成とすることにより、戸や窓の高い位置に取付けた場合でも、確実かつスムーズに切替え操作を行える。
【００２０】
また、制止機構は、制止部材を直線的にスライド移動させて制止、解除の動きを行わせる構成とすることにより、戸や窓の引き違い開き動作を制止できる状態と、自由に開閉できる状態と、の切替えを確実かつスムーズに行うことができるとともに、構造が簡単で装置全体を安価に製造できる。
【００２１】
また、外戸体側の警鳴要素は、磁石からなり、内戸体側の警鳴要素は、磁石の磁力によりスイッチ動作するリードスイッチを含む構成とすることにより、内外戸体の引き違い動作に対応して鳴動出力する警鳴要素構成の警鳴装置を具体的に実現できる。
【発明を実施するための最良の形態】
【００２２】
以下、添付図面を参照しつつ本発明の防犯ブザーロック装置の実施の形態について説明する。本発明の防犯ブザーロック装置は、引き違い式の戸、窓等の内側に設置して、泥棒等の不法な侵入者等による戸等の引き違い動作時に警鳴するとともに該戸等の引き違い移動を制止して防犯でき、さらに、装置を戸等に取付けたままの状態で、簡便に使用、不使用の設定を切替えることができる防犯装置である。図１ないし図１２は、本発明の防犯ブザーロック装置の第１の実施形態を示している。本実施形態において、図１、図４、図５に示すように、防犯ブザーロック装置１０は、内外の走行路Ｌ１、Ｌ２に沿って内外戸体１２、１４を横方向に移動する引き違い式の戸に設置される。本実施形態において、防犯ブザーロック装置１０は、外戸体１４の内側に設けられた受部１６と、内戸体１２の引き違い壁１８に固定された制止機構２０と、内外戸体の引き違い動作に対応して鳴動出力する警鳴装置２２と、を備えている。なお、防犯ブザーロック装置１０は、図６にような、２枚の戸、窓等の構成や、図７のように、内外戸体を２対有する４枚の戸、窓等の構成のいずれにも適用される。
【００２３】
受部１６は、図１、図４に示すように、内外戸体１２、１４の引き違い開閉動作を妨げないように外戸体１４の内側に設けられている。本実施形態では、受部１６は、既設の戸等に後付けで取付けるようになっており、内外戸体の引き違い空隙Ｇ（内外戸体の引き違い境界面Ｈと外戸体内側との間の細長い空隙）に対応する位置であって外戸体１４のサッシ部の内側上端寄り（図５参照）位置に設けられている。受部１６は、内外戸体１２、１４の引き違い開閉動作を妨げないように、常に引き違い空隙Ｇ内に収容設置される。本実施形態において、受部１６は金属薄板部材からなり、裏面側に両面接着テープ２６が接着されて外戸体１４のサッシ部に簡単に取付けされる。本実施形態では、受部１６は、両面接着テープ２４の厚さを含む外戸体からの突出幅は、内外戸体１２、１４の引き違い開閉動作を妨げないように、空隙Ｇ内に収容される程度に設定されている。なお、受部は、内戸体の引き違い壁に当たって移動の際の妨げにならないような大きさ、形状で構成されればよく、例えば、ブロック状やフック状、その他の凸部、又は外戸体のサッシ部に凹部を設けて外部体のサッシ部と一体的に形成しても良い。また、外戸体に埋め込み式に形成してもよい。
【００２４】
図４、図８に示すように、受部１６が設置された高さ位置に対応して、内戸体１４の引き違い壁１８の上部側には、制止機構２０が内外戸体１２、１４の引き違い動作を妨げないように設けられている。図１、図２、図３に示すように、制止機構２０は、走行路空間Ｓ側から外戸体１４側に向けて出入する制止部材２６を含む。なお、本実施形態において、走行路空間Ｓは、内側の走行路Ｌ１上の内戸体１２が横方向に移動し得る外戸体１４手前側の空間であって、引き違い境界面Ｈを境にして引き違い空隙Ｇと連通する室内に面した空間である。制止機構２０の制止部材２６は、外戸体側の受部１６と協働して制止手段を構成し得るようになっており、走行路空間Ｓ側から外戸体側に突出した状態（突出状態）で、内戸体１２又は外戸体１４の引き違い動作時に、該制止部材２６の突出部と受部１６の縁部とが係合して、内外戸体１２、１４の開き方向への引き違い移動を制止する（図２参照）。一方、制止部材２６が走行路空間Ｓ内に退避した状態（退避状態）（図３参照）では、前記のような制止状態を解除して、戸等を自在に開閉できる。なお、本実施形態では、制止部材２６が走行路空間Ｓ側から突出し、該制止部材２６と受部１６とが係合して、内外戸体の引き違い動作を制止する状態を制止状態という。また、制止部材２６が走行路空間Ｓ側に退避して内外戸体１２、１４の引き違い動作が自由に行える状態を解除状態という。本実施形態において、制止機構２０は、図９にも示すように、取付枠３０を介して、後述する鳴動装置２８と一体的に組付けられて内戸体１２の引き違い壁１８に取付けられる。本実施形態では、取付枠３０は、２枚の平板が縦方向に平行状に対向配置されそれらを外戸体側で連結した平面視コ字状の金属薄板部材からなり、室内側をコ字開口させた状態で、側壁外側に制止機構２０が一体的に設けられるとともに、他の側壁外側に両面接着テープ３２が接着されて内戸体１２の引き違い壁１８に取付けされる。なお、制止機構３０を内戸体の引き違い壁に直接設けることとしてもよい。
【００２５】
本実施形態において、制止機構２０は、図１、図３、図１０に示すように、制止部材２６を直線的にスライド移動させて走行路空間Ｓ側からの出入りの動き、すなわち、制止、解除の動きを行うようになっている。本実施形態では、制止部材２６は、制止部材２６をスライド自在に案内する案内ケース３４とともにスライド機構を構成し、該制止部材２６は戸体の横移動方向と交差方向に外戸体１４に向かって直線的にスライドするように設定されている。
【００２６】
案内ケース３４は、例えば、金属製の横長角柱体に形成されており、長手方向に連通した制止部材２６をスライド可能に挿通する中空部を有している。さらに、案内ケース３４は、受部等に当たって内外戸体の引き違い動作を妨げないように全体が走行路空間Ｓ内に配置されて、取付枠３０の側壁外面に固定されている。なお、案内ケースは、引き違い壁に直接固定することとしてもよい。
【００２７】
本実施形態において、制止部材２６は、例えば、金属製の円柱部材からなり、案内ケースの中空部にスライド自在に係合して長手方向に自由に移動でき、走行路空間Ｓ側から外戸体側に突出、退避の動きをする。図２に示すように、制止部材２６は、突出状態で、引き違い動作時に引き違い空隙Ｇ内へ突出した突出部が受部１６に当接して、戸体の引き違い移動を制止する。他方では、制止部材２６は、退避状態で、制止部材２６全体が少なくとも引き違い境界面Ｈより走行路空間Ｓ側に完全に退避するようになっており、内外戸体１２、１４の移動を全く妨げることなく自在に開閉できるように設けられている。本実施形態では、制止部材２６の突出部には、横方向切欠き状の凹部３６が設けられており、引き違い動作時に受部１６の縁部に嵌合状に係合して、戸等の該引き違い移動を確実に制止する。この戸体を制止した状態では、制止部材２６の退避方向へのスライド移動も抑止されるので、例えば、強い力で戸体が開かれ、制止部材と受部とが衝突した際に振動で制止部材がスライドして不意に制止状態が解除されるのを防止でき、戸体の制止状態を良好に保持できる。なお、制止部材２６の凹部３６は、必ずしも設けなくても良く、例えば、制止部材に受部と当接する平面を形成させてもよい。なお、制止部材２６は、角柱体やその他任意形状のブロック体、平板体、フック体等その他任意のものでよい。
【００２８】
図１、図４、図１０にも示すように、本実施形態では、制止部材２６には、制止部材２６のスライド移動とともに移動する操作部３８が制止部材の長方向中間位置に連結されており、案内ケース３４の外面に形成された横長の移動孔４０を介して案内ケースの外面に突出されている。すなわち、操作部３８を操作することにより、外部から制止部材を強制的にスライド移動させることができる。この操作部３８は、移動孔４０の範囲のみ移動可能となっており、案内ケース３４の移動孔４０により、制止部材２６の直線移動端が設定される。移動孔４０は、制止部材２６が上述のような走行路空間側からの突出及び退避位置にスライドできるような長さに設定される。
【００２９】
上記のような構成の制止機構２０により、引き違い戸等本体の施錠とは別に補助的に開き移動を制止して防犯を行える。と同時に、制止機構２０は、内戸体１２に取付けた状態のままでも操作部３８を介して制止部材２６を直線的にスライド操作させて、内外戸体の制止状態と、解除状態と、の切り替え操作を確実かつ簡単に行え、操作性が良好である。なお、制止機構２０はスライド機構に限らず任意の構成でもよい。例えば、図１３に示すように、制止部材２６を取付枠３０に対して水平軸４１回りに回転または揺動させることによって、該制止部材２６を走行路空間Ｓ側から出入りさせるように設けても良い。
【００３０】
本実施形態において、制止機構２０には、図４、図１０、図１１に示すように、制止部材２６の突出、退避状態の切替え操作を行う遠隔操作手段４２が設けられている。本実施形態では、遠隔操作手段４２は、操作部３８に接続された２本の索条４４と、索条４４を挿通するリング状のガイド部材４６と、を有する。索条４４は、例えば、ひも、縄、ワイヤー、鎖その他の索条類からなる。索条４４は、一端を操作部３８に接続されて制止部材２６のスライド方向に沿って張架されつつ、ガイド部材４６を介してＬ字状に延長他端側を下に垂下させている。ガイド部材４６は、例えば、案内ケース３４に固定され、索条をリング孔に挿通させるリング部材からなり、索条の下端側の下方向への牽引操作を操作部３８の横方向移動に変換する。すなわち、一の索条４４を下に牽引すると、索条の一端側が接続された操作部３８を介して制止部材２６をスライド移動させる。これにより、装置を内外戸体１２、１４の上側の高い位置に取付けた場合にも、制止機構２０の切替操作を下側から簡単に行えるので操作性を良好に維持でき、特に、子供等の背が低い者でもスムーズな切替えが可能となる。
【００３１】
警鳴装置２２は、内外戸体の引き違い動作に対応して、内戸体１２側の警鳴要素と外戸体１４側の警鳴要素との接触または非接触により、鳴動出力させる警鳴発生手段である。本実施形態では、警鳴装置２２は、図２、図８に示すように、内戸体１２の引き違い壁１８に取付けられた鳴動体を含む鳴動装置２８と、外戸体１４側に設けられ非接触で鳴動装置２８の鳴動体を鳴動出力させる起動部４８と、を有する。すなわち、本実施形態では、警鳴装置２２は、内外戸体の引き違い動作の際に、内戸体側の鳴動装置２８の警鳴要素と、外戸体側の起動部４８の警鳴要素と、が近接して鳴動装置２８の鳴動体が鳴動出力するようになっている。
【００３２】
本実施形態において、起動部４８は、図４、図８に示すように、外戸体１４の内側の受部１６に近接したサッシ部の上部側であって、受部１６と同様に、内外戸体の引き違い動作を妨げないように引き違い空隙Ｇ内に収容配置される。さらに、起動部４８は、制止機構の制止部材２６の突出状態での受部１６との係合を邪魔しないように、制止機構より下にずれた位置に設置されている。本実施形態では、起動部４８は、警鳴要素としての磁石を備えている。起動部４８は、例えば、板状の磁石４８ａからなり、両面接着テープ４９を介して該サッシ部に固定される。なお、起動部４８は、例えば、外戸体のサッシ部に埋め込みまたは一体的に設けてもよく、あるいは受部１６と一体的に形成してもよい。
【００３３】
鳴動装置２８は、本実施形態において、鳴動体と、外戸体１４側の起動部４８との非接触で該鳴動体を鳴動出力させるようにスイッチ動作する起動スイッチ５０と、を有する鳴動出力回路を含む鳴動機構部である。本実施形態では、鳴動装置２８は、図２、図４、図８に示すように、鳴動出力回路などの主な機構部を箱型ケース内に内蔵して形成されており、該ケースをコ字状の取付枠３０内部空隙に嵌合状に収容させて（図９参照）、制止機構２０と一体的に内戸体の引き違い壁１８に取付けられる。鳴動装置２８は、ケースが内外戸体１２、１４の引き違い動作を邪魔しないように配置される。なお、鳴動装置２８は取付枠３０に接着固定してもよいし、脱着できるように嵌合装着構成でもよい。また、ケースごと内戸体１８の引き違い壁１８に直接に両面テープや接着剤、ネジ止め等で固定してもよい。鳴動装置２８の起動スイッチ５０はケースに内蔵され、制止機構２０の位置より下にずれた位置に配置され、内外戸体の引き違い動作されて制止部材２６と受部１６とが係合した状態で、起動部４８と近接するようになっている。本実施形態において、起動スイッチ５０は、磁力によりスイッチ動作するリードスイッチ５０ａであり、常時はスイッチを開いた状態で、起動部４８の磁石に近付くとその磁力によりスイッチを閉鎖して鳴動出力回路を閉路する。すなわち、本実施形態では、内戸体１２側の警鳴要素はリードスイッチ５０ａを含み、内外戸体の引き違い動作の際に外戸体側の警鳴要素である磁石と近接（非接触）して、鳴動体を鳴動出力させる。鳴動出力回路は、例えば、図１２に示すように、乾電池等の電源５２と、発振回路５４と、振動板等を含む鳴動体５６と、起動スイッチ５０（リードスイッチ５０ａ）と、それらが接続された回路を開閉スイッチングする主スイッチ５８と、を有して構成されている。主スイッチ５８は、制止部材２６の制止状態では、起動部４８により起動スイッチ５０が閉動作した際に鳴動装置２８の鳴動体を鳴動出力させ、他方、制止部材２６の解除状態では、起動部４８により起動スイッチ５０が閉動作しても鳴動装置２８の鳴動体を鳴動出力しないように開閉スイッチングする。
【００３４】
本実施形態では、図１、図３、図４に示すように、制止部材２６が走行路空間Ｓに退避して内外戸体１２、１４の引き違い動作が自由に行える状態では、警報装置２２の警報音が警鳴しないように連係させる連係機構６０が設けられている。本実施形態において、連係機構６０は、制止部材２６の制止、解除の動きに対応して、鳴動装置２８の鳴動出力回路の主スイッチ５８（図１２参照）を開閉スイッチングするように連係させる。本実施形態において、連係機構６０は、制止機構２０の制止部材２６に連結された押動部材６２と、押動部材６２により押動されて主スイッチ５８のケース外部からのスイッチングを行う押ボタン６４と、を含む。押ボタン６４は、常時は主スイッチ５８を開く方向にばね付勢されており、その押圧部分を鳴動装置２８の箱型ケースの側面から室内側に向けて突出させている。押動部材６２は、制止部材２６の室内側端部からＬ字状に連結され鳴動装置２８の押しボタンに正対する平面を形成する板部材からなり、制止部材２６とともにスライド移動するように設けられている。制止部材２６が突出する方向にスライド移動すると同時に、押動部材６２が押ボタン６４を押し込み、鳴動装置の主スイッチ５８（図１２参照）を閉鎖する。逆に、制止部材２６が退避する方向にスライド移動すると、押動部材６２による押ボタン６４の押圧が解除され、押ボタン６４のばね復帰により鳴動装置の主スイッチ５８が開く。これにより、１つの操作だけで戸体の引き違い開き動作の制止、解除の切替えと同時に警鳴を発生するか否かの切替えを行えるので、操作が簡単で使い勝手がよい。また、本実施形態では、上述のように、外戸体側の受部１６と起動部４８、並びに内戸体１２側の制止機構と鳴動装置２８とがそれぞれ近接して設けられているので、制止部材２６と鳴動装置２８と近接配置され、これらを連係させる連係機構の構成が比較的簡単に設計でき、装置全体を低コストで製造できる。なお、連係機構は、上記のような構成に限らず、例えば、主スイッチをスライド式とし、制止部材２６のスライド移動で該スライド式のスイッチを切替えするように構成してもよく、その他任意の構成でもよい。なお、図１３のように、制止部材２６を回転させる態様のものでは、制止部材（軸）の回転に連動した回転式のスイッチにより、鳴動出力回路を開閉スイッチすることとしてもよい。また、鳴動装置２８の鳴動出力回路を開閉スイッチングする構成に限らず、制止部材の解除状態で警鳴装置が警鳴しない構成であればよい。例えば、制止部材と受部が内外戸体のそれぞれの警鳴要素を兼用し、戸体の引き違い動作時を制止させたそれらの係合状態による接触で（または係合時の非接触で）鳴動出力するように構成してもよい。
【００３５】
次に、本実施形態に係る防犯ブザーロック装置１０の作用について説明する。図１、図４、図５に示すように、外戸体１４室内側のサッシ部の上部側に受部１６と、起動部４８となる磁石４８ａが、それぞれ内外戸体の引き違い動作を妨げないように引き違い空隙内に配置される。さらに、内戸体１２の引き違い壁１８の上部側に制止機構２０と鳴動装置２８とが取付枠３０を介して一体的に取付けられ、それぞれ内外戸体の引き違い動作を妨げないように配置される。これらの受部、制止機構、警鳴装置等の構成要素は、近接して配置されており、取付け作業の際に構成部材の位置調整や設定等が比較的行いやすく、通常の開き動作の際に邪魔にならない。例えば、外出、就寝等する際に装置の防犯機能を使用する際には、図１、図１０に示すように、遠隔操作手段４２の外戸体側の索条４４を牽引して（又は直接手で）制止部材２６を外戸体１２側に向けてスライド移動させて、走行路空間Ｓから外戸体１４側に向けて突出させた状態としておく。この際、制止部材２６の突出状態に連係して連係機構６０の押動部材６２が鳴動装置２８の押ボタン６４を押動し、鳴動出力回路の主スイッチ５８（図１２参照）が閉じた状態となり、起動スイッチ５０のスイッチングで鳴動体が鳴動出力しうる防犯使用状態となる。そして、例えば、侵入者等により内戸体１２または外戸体１４のいずれかが開き方向に引き違い動作されると、図２に示すように、突出状態の制止部材２６の突出部の切欠き状の凹部３６と受部１６の縁部が係合し、該内外戸体の引き違い移動を制止する。と同時に、該内外戸体の引き違い動作に対応して、外戸体１４側の磁石４８ａと、内戸体１２側の鳴動装置２８のリードスイッチ５０ａとが近接し、リードスイッチ５０ａが閉じて鳴動出力回路を閉路して鳴動体が鳴動出力する。一方、例えば、居住者が洗濯や掃除、その他出入りや風通し等の戸等を開く必要がある場合には、図３、図１１に示すように、遠隔操作手段４２の室内側の索条４４を牽引して（又は直接手で）制止部材２６を室内側にスライド移動させて、走行路空間Ｓ内に退避させておく。この際、制止部材２６の退避状態に連係して連係機構６０の押動部材６２による鳴動装置２８の押ボタン６４の押動が解除され、鳴動出力回路の主スイッチ５８が開いた状態となる。したがって、内外戸体の引き違い動作の際に起動部により起動スイッチ５２が閉じても鳴動体が鳴動出力しないとともに、内外戸体を自由に引き違い動作を行える。これにより、防犯ブザーロック装置１０を戸等に設置した状態で、その警鳴音の発生及び戸体の引き違い移動の制止をできる防犯機能を使用できる状態と、それらを解除した不使用状態とを簡便に切替えることができる。特に、頻繁に切替える必要があっても煩雑な操作を必要とせず、１つの操作で装置全体の使用、不使用の切替えを同時に行え、操作性が高く実用的である。なお、本装置の取付態様は、図１４に示すように、制止機構２０と警鳴装置２２とを戸等の上下に離隔して配置してもよい。この際、制止機構、警鳴装置のそれぞれの使用、不使用の切替操作は、連係させることとしてもよく、それぞれ独立で切替えるようにしてもよい。
【００３６】
以上説明した本発明の防犯ブザーロック装置は、上記した実施形態のみの構成に限定されるものではなく、特許請求の範囲に記載した本発明の本質を逸脱しない範囲において、任意の改変を行ってもよい。例えば、警鳴装置の鳴動体を含む鳴動出力回路は、内戸体側に限らず、外戸体側に設けて、鳴動体の起動部を内戸体側に設けてもよい。また、内外戸体の警鳴要素の組合せとしては、例えば、ばね付勢された機械式スイッチが剛体部材等の起動部に接触してオン、オフスイッチング動作するように構成しても良く、光センサ、磁気センサ、圧力センサ、移動量検出式、その他種々のリミットスイッチ、センサ等の単独または組合せ等任意の構成でもよい。
【図面の簡単な説明】
【００３７】
【図１】本発明の実施形態にかかる防犯ブザーロック装置の戸等に取付けた態様の要部平面図である。
【図２】図１の防犯ブザーロック装置の引き違い動作時の作用説明図である。
【図３】図１の防犯ブザーロック装置の解除状態の作用説明図である。
【図４】図１の防犯ブザーロック装置の取付け態様の斜視図である。
【図５】図４の取付け態様の戸体全体を示した斜視説明図である。
【図６】図１の防犯ブザーロック装置を２枚の引き違い戸の構成に適用した場合の平面説明図である。
【図７】図１の防犯ブザーロック装置を４枚の引き違い戸の構成に適用した場合の平面説明図である。
【図８】図１の防犯ブザーロック装置を正面図である。
【図９】制止機構と鳴動装置との分解斜視図である。
【図１０】制止機構の側面説明図である。
【図１１】制止機構の側面説明図及び作用図である。
【図１２】鳴動出力回路の一例の概略説明図である。
【図１３】制止機構の他の例の概略説明図及び作用図である。
【図１４】制止機構と警鳴装置を戸の上下に離隔配置させた図である。
【符号の説明】
【００３８】
１０  防犯ブザーロック装置
１２  内戸体
１４  外戸体
１６  受部
１８  内戸体の引き違い壁
２０  制止機構
２２  警鳴装置
２６  制止部材
２８  鳴動装置
４２  遠隔操作装置
４８  起動部
Ｇ  引き違い空げき
Ｓ  走行路空間
【図１】
2005336850.tif 000003
【図２】
2005336850.tif 000004
【図３】
2005336850.tif 000005
【図４】
2005336850.tif 000006
【図５】
2005336850.tif 000007
【図６】
2005336850.tif 000008
【図７】
2005336850.tif 000009
【図８】
2005336850.tif 000010
【図９】
2005336850.tif 000011
【図１０】
2005336850.tif 000012
【図１１】
2005336850.tif 000013
【図１２】
2005336850.tif 000014
【図１３】
2005336850.tif 000015
【図１４】
2005336850.tif 000016